(57)【要約】【課題】光源装置の交換を正確に行うことが可能なプロジェクターを提供する。【解決手段】第１及び第２の光源装置２１，２２から射出された光を変調して投写するプロジェクター１は、第１及び第２の光源装置２１，２２がそれぞれ収容される第１及び第２の光源収容部６，７と、第１及び第２の光源収容部６，７にそれぞれ対応付けられて配置された第１及び第２のＬＥＤ９１，９２とを備えている。そして、第１及び第２の光源装置２１，２２のうち、交換すべき光源装置がある場合、即ち点灯が失敗した光源装置や累積点灯時間が交換時間に達した光源装置がある場合には、第１及び第２のＬＥＤ９１，９２のうち、交換すべき光源装置が収容されている光源収容部に対応するＬＥＤを点滅させて、交換すべき光源装置を報知する。【選択図】図２
2010276818.tif 000002
【特許請求の範囲】
【請求項１】
複数の光源装置から射出された光を変調して投写するプロジェクターであって、
前記複数の光源装置がそれぞれ収容される複数の光源収容部と、
前記複数の光源収容部にそれぞれ対応付けられて配置された複数の状態表示部と、
前記複数の光源装置の中から、交換すべき光源装置を検出する検出部と、
前記交換すべき光源装置を前記検出部が検出した場合に、前記状態表示部の表示状態を変化させて、前記交換すべき光源装置を報知する表示制御部と、
を備えたことを特徴とするプロジェクター。
【請求項２】
請求項１に記載のプロジェクターであって、
前記光源収容部に開閉可能に備えられたカバー部材と、
前記カバー部材の開閉状態を検出するカバー検出部と、
をさらに備え、
前記表示制御部は、前記カバー部材が開いたことを前記カバー検出部が検出した後で、前記状態表示部の表示状態を変化させることを特徴とするプロジェクター。
【請求項３】
請求項１又は２に記載のプロジェクターであって、
前記状態表示部を動作させるための電源は、前記光源装置を点灯させるための電源とは異なることを特徴とするプロジェクター。
【請求項４】
請求項１〜３のいずれか１項に記載のプロジェクターであって、
前記検出部は、前記光源装置の累積点灯時間に基づいて、前記交換すべき光源装置を検出することを特徴とするプロジェクター。
【請求項５】
請求項１〜４のいずれか１項に記載のプロジェクターであって、
前記光源装置の点灯状態を検知する点灯検知部をさらに備え、
前記検出部は、前記点灯検知部の検知結果に基づいて、前記交換すべき光源装置を検出することを特徴とするプロジェクター。
【請求項６】
請求項１〜５のいずれか１項に記載のプロジェクターであって、
前記状態表示部は、発光ダイオードであることを特徴とするプロジェクター。
【請求項７】
請求項６に記載のプロジェクターであって、
前記表示制御部は、前記発光ダイオードを点滅させることによって、前記交換すべき光源装置を報知することを特徴とするプロジェクター。
【発明の詳細な説明】
【技術分野】
【０００１】
本発明は、光源から射出された光を変調して投写するプロジェクターに関する。
【背景技術】
【０００２】
光源装置から射出された光を変調して画像を形成し、この画像を外部のスクリーン等に拡大して投写するプロジェクターにおいて、複数の光源装置を用いることによって、画像を明るく表示できるプロジェクターが提案されている（例えば、特許文献１、２参照）。
【先行技術文献】
【特許文献】
【０００３】
【特許文献１】特開平８−３６１８０号公報
【特許文献２】特開２０００−１８０７９６号公報
【発明の概要】
【発明が解決しようとする課題】
【０００４】
しかしながら、複数の光源装置を備えたプロジェクターでは、いずれかの光源装置が寿命に達したり、故障したりして、光源装置を交換する必要が生じた場合に、複数の光源装置のうち、どの光源装置を交換すべきなのかが分かり難く、誤って正常な光源装置を交換してしまう恐れがあった。
【課題を解決するための手段】
【０００５】
本発明は、上述の課題の少なくとも一部を解決するためになされたものであり、以下の形態又は適用例として実現することが可能である。
【０００６】
［適用例１］本適用例に係るプロジェクターは、複数の光源装置から射出された光を変調して投写するプロジェクターであって、前記複数の光源装置がそれぞれ収容される複数の光源収容部と、前記複数の光源収容部にそれぞれ対応付けられて配置された複数の状態表示部と、前記複数の光源装置の中から、交換すべき光源装置を検出する検出部と、前記交換すべき光源装置を前記検出部が検出した場合に、前記状態表示部の表示状態を変化させて、前記交換すべき光源装置を報知する表示制御部と、を備えたことを特徴とする。
【０００７】
このプロジェクターによれば、表示制御部は、交換すべき光源装置を検出部が検出した場合に、状態表示部の表示状態を変化させて交換すべき光源装置を報知するため、交換対象の光源装置が明確になり、誤って交換する必要のない光源装置を交換してしまう事態が抑制される。つまり、光源装置の交換を正確に行うことが可能となる。
【０００８】
［適用例２］上記適用例に係るプロジェクターにおいて、前記光源収容部に開閉可能に備えられたカバー部材と、前記カバー部材の開閉状態を検出するカバー検出部と、をさらに備え、前記表示制御部は、前記カバー部材が開いたことを前記カバー検出部が検出した後で、前記状態表示部の表示状態を変化させることが望ましい。
【０００９】
このプロジェクターによれば、光源収容部のカバー部材が開いた後で、状態表示部の表示状態を変化させるため、カバー部材を開くまで、即ちユーザーが光源装置を交換しようとするまでは、状態表示部の表示状態が変化しないことになり、無駄な電力消費を抑制することが可能となる。
【００１０】
［適用例３］上記適用例に係るプロジェクターにおいて、前記状態表示部を動作させるための電源は、前記光源装置を点灯させるための電源とは異なることが望ましい。
【００１１】
このプロジェクターによれば、状態表示部を動作させるための電源が、光源装置を点灯させるための電源とは異なるため、状態表示部による報知を行う際でも、光源装置を点灯させるための電源が接続されている必要はなく、安全性が向上する。
【００１２】
［適用例４］上記適用例に係るプロジェクターにおいて、前記検出部は、前記光源装置の累積点灯時間に基づいて、前記交換すべき光源装置を検出することが望ましい。
【００１３】
このプロジェクターによれば、検出部は、光源装置の累積点灯時間に基づいて、交換すべき光源装置を検出するため、寿命が近づいた光源装置の交換を正確に行うことが可能となる。
【００１４】
［適用例５］上記適用例に係るプロジェクターにおいて、前記光源装置の点灯状態を検知する点灯検知部をさらに備え、前記検出部は、前記点灯検知部の検知結果に基づいて、前記交換すべき光源装置を検出することが望ましい。
【００１５】
このプロジェクターによれば、検出部は、点灯検知部の検知結果に基づいて、交換すべき光源装置を検出するため、点灯しなくなった光源装置の交換を正確に行うことが可能となる。
【００１６】
［適用例６］上記適用例に係るプロジェクターにおいて、前記状態表示部は、発光ダイオードであることが望ましい。
【００１７】
このプロジェクターによれば、状態表示部が発光ダイオードであるため、交換すべき光源装置を報知する際の視認性が向上する。
【００１８】
［適用例７］上記適用例に係るプロジェクターにおいて、前記表示制御部は、前記発光ダイオードを点滅させることによって、前記交換すべき光源装置を報知することが望ましい。
【００１９】
このプロジェクターによれば、発光ダイオードの点滅によって交換すべき光源装置を報知するため、視認性がさらに向上する。
【図面の簡単な説明】
【００２０】
【図１】第１実施形態のプロジェクターの斜視図。
【図２】第１実施形態のプロジェクターの平面図。
【図３】第１実施形態のプロジェクターの概略構成を示すブロック図。
【図４】第１実施形態の画像投写部をより詳細に説明するための説明図。
【図５】第１実施形態のスタンバイ状態において電源キーが操作された場合のプロジェクターの動作を説明するためのフローチャート。
【図６】第１実施形態のオン状態において電源キーが操作された場合のプロジェクターの動作を説明するためのフローチャート。
【図７】第１実施形態において、ランプカバーが開放した際のプロジェクターの動作を説明するためのフローチャート。
【図８】第２実施形態のプロジェクターの概略構成を示すブロック図。
【図９】第２実施形態において、ランプカバーが開放した際の制御部の動作を説明するためのフローチャート。
【図１０】第２実施形態において、ランプカバーが開放した際のＬＥＤ制御部の動作を説明するためのフローチャート。
【図１１】変形例に係る状態表示部を示す斜視図。
【図１２】変形例に係るプロジェクターを示す斜視図。
【発明を実施するための形態】
【００２１】
（第１実施形態）
以下、第１実施形態に係るプロジェクターについて、図面を参照して説明する。
本実施形態のプロジェクターは、光源装置から射出された光を画像情報に応じて変調して画像光を形成し、この画像光を投写レンズから外部に拡大投写して、画像情報に応じた画像を表示する。また、本実施形態のプロジェクターは、光源装置を２つ備えており、光源装置を１つのみ備える場合に比べて、画像を明るく表示することが可能になっている。
【００２２】
図１は、本実施形態のプロジェクターの斜視図である。
図１に示すように、プロジェクター１は、装置本体を収容する筐体２を備えて構成されている。筐体２の前面２ｆには、投写レンズ６０の前面部を露出させるための開口部３が形成されており、この投写レンズ６０から前方に向けて画像光が投写される。また、筐体２の上面２ｔには、ユーザーにより入力操作が行われる入力操作部８２と、２つの光源装置２１，２２（図２参照）を覆うカバー部材としてのランプカバー４が備えられている。ランプカバー４は、筐体２に対して着脱自在になっており、光源装置２１，２２が寿命に達したり、故障したりした際には、ユーザーは、ランプカバー４を取り外して、光源装置２１，２２の交換を行うことができる。
【００２３】
図２は、プロジェクター１の平面図であり、ランプカバー４を取り外した状態を示している。
図２に示すように、ランプカバー４に覆われていた領域５（以降、「カバー領域５」とも呼ぶ。）には、第１の光源収容部６及び第２の光源収容部７が配置されている。第１の光源収容部６及び第２の光源収容部７は、それぞれ光源装置２１，２２（以降、「第１の光源装置２１」及び「第２の光源装置２２」とも呼ぶ。）を収容するために形成された凹状の部位であり、第１の光源収容部６に第１の光源装置２１が収容され、第２の光源収容部７に第２の光源装置２２が収容されている。また、カバー領域５において、第１の光源収容部６及び第２の光源収容部７の近傍には、第１のＬＥＤ（発光ダイオード）９１及び第２のＬＥＤ９２がそれぞれ配置されるとともに、カバー領域５にランプカバー４が装着されているか否かを検出するカバー検出部８８が設けられている。
【００２４】
本図に示すように、ランプカバー４が取り外された状態では、第１及び第２の光源収容部６，７は開放し、第１及び第２の光源装置２１，２２の交換が可能な状態となる。一方、図１に示すように、このカバー領域５にランプカバー４を装着すると、第１及び第２の光源収容部６，７は閉塞される。つまり、ランプカバー４は、第１及び第２の光源収容部６，７に開閉可能に備えられたカバー部材であり、カバー領域５から取り外されて第１及び第２の光源収容部６，７を開放させる状態と、カバー領域５に装着されて第１及び第２の光源収容部６，７を閉塞させる状態とを切り替え可能になっている。なお、ランプカバー４は、必ずしも離脱（取り外し）可能である必要はなく、スライド式や開き戸式で開閉する態様であってもよい。
【００２５】
図３は、プロジェクター１の概略構成を示すブロック図である。
図３に示すように、プロジェクター１は、画像投写部１０、制御部８０、記憶部８１、入力操作部８２、画像情報入力部８３、画像処理部８４、液晶パネル駆動部８５、電源回路８６、光源制御部８７、カバー検出部８８、ＬＥＤ駆動部９０、第１及び第２のＬＥＤ９１，９２等で構成されている。
【００２６】
画像投写部１０は、第１及び第２の光源装置２１，２２、光変調装置としての３つの液晶パネル５１（５１Ｒ，５１Ｇ，５１Ｂ）、投写光学系としての投写レンズ６０等を含んでいる。画像投写部１０は、第１及び第２の光源装置２１，２２から射出された光を、液晶パネル５１で変調して画像光を形成し、この画像光を投写レンズ６０から投写することによってスクリーンＳＣに画像を表示する。
【００２７】
図４は、画像投写部１０をより詳細に説明するための説明図であり、第１及び第２の光源装置２１，２２から射出された光の光路を示している。
図４に示すように、画像投写部１０は、第１及び第２の光源装置２１，２２を含む照明光学系２０、色光分離光学系３０、リレー光学系４０、液晶パネル５１を含む画像形成部５０、投写レンズ６０等を備えており、これらは、筐体２の内部に適宜配置されている。
【００２８】
照明光学系２０は、第１及び第２の光源装置２１，２２に加えて、合成ミラー２３と、平行化レンズ２４と、第１のレンズアレイ２５と、第２のレンズアレイ２６と、偏光変換素子２７と、重畳レンズ２８とを備えて構成されている。
【００２９】
第１及び第２の光源装置２１，２２は、同一構成の光源装置であり、それぞれ超高圧水銀ランプやメタルハライドランプ等からなる放電型の光源ランプ２１ａ，２２ａと、凹状の楕円面鏡等からなるリフレクター２１ｂ，２２ｂと、これらを支持するハウジング部２１ｃ，２２ｃとを備えて構成されている。第１の光源装置２１及び第２の光源装置２２は、合成ミラー２３を挟んで離間しており、それぞれのリフレクター２１ｂ，２２ｂの開口部が合成ミラー２３を向くように配置されている。光源ランプ２１ａ，２２ａは、リフレクター２１ｂ，２２ｂの内部に取り付けられており、光源ランプ２１ａ，２２ａから射出された放射状の光束は、リフレクター２１ｂ，２２ｂで反射し、合成ミラー２３へと射出される。
【００３０】
合成ミラー２３は、第１の反射ミラー２３ａと第２の反射ミラー２３ｂとを備えて構成されている。第１の反射ミラー２３ａは、第１の光源装置２１から射出された光を平行化レンズ２４に向けて反射させ、第２の反射ミラー２３ｂは、第２の光源装置２２から射出された光を平行化レンズ２４に向けて反射させる。平行化レンズ２４は、第１の反射ミラー２３ａで反射された光と、第２の反射ミラー２３ｂで反射された光を合成するとともに、この合成光を平行化して第１のレンズアレイ２５に射出する。
【００３１】
第１のレンズアレイ２５及び第２のレンズアレイ２６は、それぞれ微小なレンズがマトリクス状に配置された構成になっており、平行化レンズ２４から入射した光束は、第１のレンズアレイ２５によって多数の微小な部分光束に分割される。第２のレンズアレイ２６及び重畳レンズ２８は、分割された部分光束のそれぞれが、照明対象である液晶パネル５１の全体に照射するように備えられている。このため、各部分光束が液晶パネル５１で重畳され、液晶パネル５１の全体がほぼ均一に照明される。
【００３２】
偏光変換素子２７は、第１及び第２の光源装置２１，２２からの光を液晶パネル５１で効率よく利用可能とするため、特定の偏光方向を有する偏光光に揃える機能を有している。照明光学系２０を射出した偏光光は、色光分離光学系３０に入射する。
【００３３】
色光分離光学系３０は、第１のダイクロイックミラー３１と、第１の反射ミラー３２と、第２のダイクロイックミラー３３とを備えており、照明光学系２０から射出された光を、波長域の異なる３色の光に分離する。第１のダイクロイックミラー３１は、略赤色の光（赤色光Ｒ）を反射するとともに、赤色光Ｒよりも短波長の光を透過する。第１のダイクロイックミラー３１で反射した赤色光Ｒは、第１の反射ミラー３２でさらに反射し、平行化レンズ２９で平行化されて画像形成部５０の赤色光用の液晶パネル５１Ｒを照明する。
【００３４】
第２のダイクロイックミラー３３は、略青色の光（青色光Ｂ）を透過するとともに、透過する光よりも長波長の光を反射する。このため、第１のダイクロイックミラー３１を透過した光のうち、略緑色の光（緑色光Ｇ）は、第２のダイクロイックミラー３３によって反射し、平行化レンズ２９で平行化されて画像形成部５０の緑色光用の液晶パネル５１Ｇを照明する。また、青色光Ｂは、第２のダイクロイックミラー３３を透過してリレー光学系４０に入射する。そして、リレー光学系４０を経由した後、平行化レンズ２９で平行化されて画像形成部５０の青色光用の液晶パネル５１Ｂを照明する。
【００３５】
なお、青色光Ｂの経路は他の色光の経路に比べて長くなってしまうことから、青色光Ｂの経路には、光束の発散によって液晶パネル５１への照明効率が低下するのを抑制するために、リレー光学系４０が設けられている。リレー光学系４０は、入射側レンズ４１と、第２の反射ミラー４２と、リレーレンズ４３と、第３の反射ミラー４４とを備えており、リレー光学系４０に入射した青色光Ｂは、入射側レンズ４１によってリレーレンズ４３の近傍で収束し、平行化レンズ２９に向けて発散する。
【００３６】
画像形成部５０は、光変調装置としての３つの液晶パネル５１（赤色光用の液晶パネル５１Ｒ、緑色光用の液晶パネル５１Ｇ、青色光用の液晶パネル５１Ｂ）と、各液晶パネル５１の入射側及び射出側にそれぞれ配置された入射側偏光板５２及び射出側偏光板５３と、色合成光学系としてのクロスダイクロイックプリズム５４とを備えて構成されている。
【００３７】
液晶パネル５１は、一対の透明基板間に液晶が封入されたものであり、透明基板の内面には、液晶に対して微小領域（画素）毎に駆動電圧を印加可能な透明電極（画素電極）がマトリクス状に形成されている。入射側偏光板５２及び射出側偏光板５３は、それぞれ特定の偏光方向の偏光光のみを透過可能であり、入射側偏光板５２は、偏光変換素子２７によって揃えられた偏光方向の偏光光を透過可能になっている。このため、液晶パネル５１に向けて照射された各色光の大部分は入射側偏光板５２を透過して、液晶パネル５１に入射する。
【００３８】
ここで、液晶パネル５１の各画素に、画像情報に基づく駆動電圧が印加されると、液晶パネル５１に入射した光は、駆動電圧に応じて変調され、画素毎に異なる偏光方向を有した偏光光となる。この偏光光のうち、射出側偏光板５３を透過可能な偏光成分のみが射出側偏光板５３から射出される。つまり、液晶パネル５１及び射出側偏光板５３が、画像情報に応じて画素毎に異なる透過率で入射光を透過させることによって、階調を有する画像光が色光毎に形成される。射出側偏光板５３から射出した各色光からなる画像光は、クロスダイクロイックプリズム５４に入射する。
【００３９】
クロスダイクロイックプリズム５４には、赤色光を反射する誘電体多層膜と、青色光を反射する誘電体多層膜とが、４つの直角プリズムの界面に沿って略Ｘ字状に設けられており、射出側偏光板５３からから射出された各色の画像光は、これらの誘電体多層膜によって合成される。クロスダイクロイックプリズム５４で合成された画像光は、カラーの画像光として射出面５４ｘから射出され、投写レンズ６０に入射する。
【００４０】
投写レンズ６０は、クロスダイクロイックプリズム５４の射出面５４ｘ側に配置されており、画像形成部５０で形成された画像光を拡大して投写する。投写レンズ６０から射出された画像光は、外部のスクリーンＳＣ（図３参照）等に投写される。
【００４１】
図３に戻って、制御部８０は、ＣＰＵ（Central Processing Unit）や、各種データ等の一時記憶に用いられるＲＡＭ（Random Access Memory）等を備え、記憶部８１に記憶されている制御プログラムに従って動作することによりプロジェクター１の動作を統括制御する。つまり、制御部８０は、記憶部８１とともにコンピューターとして機能する。また、制御部８０には、時間の計測を行うためのタイマー８０ａが備えられている。
【００４２】
記憶部８１は、フラッシュメモリーや、ＦｅＲＡＭ（Ferroelectric RAM：強誘電体メモリー）等、書き替え可能な不揮発性のメモリーにより構成されている。記憶部８１には、プロジェクター１の動作を制御するための制御プログラムや、プロジェクター１の動作条件等を規定する各種設定データ等が記憶されている。本実施形態の記憶部８１には、第１及び第２の光源装置２１，２２に関して、それぞれの累積点灯時間及び直前の点灯結果が、ランプ情報８１ａとして記憶されるようになっている。累積点灯時間は、光源装置が交換された際にユーザーによって０にリセットされ、その後、プロジェクター１を利用するたびに、点灯させた時間が累積的に加算される。また、点灯結果としては、前回の点灯時に正常に点灯できたか否かが光源装置毎に記憶される。
【００４３】
入力操作部８２は、ユーザーによる入力操作を受け付けるものであり、ユーザーがプロジェクター１に対して各種指示を行うための複数の操作キーを備えている。入力操作部８２が備える操作キーとしては、電源のオンとオフとを切り替えるための電源キーや、各種設定を行うための設定メニューを表示させるメニューキー、設定メニューで項目の選択等に用いられる方向キー等がある。ユーザーが入力操作部８２の各種操作キーを操作すると、入力操作部８２は、ユーザーの操作内容に応じた操作信号を制御部８０に出力する。なお、入力操作部８２として、遠隔操作が可能なリモコン（図示せず）を用いた構成としてもよい。この場合、リモコンは、ユーザーの操作内容に応じた赤外線の操作信号を発信し、図示しないリモコン信号受信部がこれを受信して制御部８０に伝達する。
【００４４】
画像情報入力部８３は、図示しない入力端子を備えており、この入力端子には、ビデオ再生装置やパーソナルコンピューター等、外部の画像出力装置から出力される画像情報が入力される。画像情報入力部８３に入力された画像情報は、画像処理部８４に供給される。なお、画像情報入力部８３は、外部から画像情報が入力される態様に限られず、記録媒体等に記録されている画像情報を再生する態様であってもよい。
【００４５】
画像処理部８４は、画像情報入力部８３から入力される画像情報を、液晶パネル５１Ｒ，５１Ｇ，５１Ｂの各画素の階調を表す画像情報に変換する。ここで、変換された画像情報は、Ｒ，Ｇ，Ｂの色光別になっており、各液晶パネル５１Ｒ，５１Ｇ，５１Ｂのすべての画素に対応する複数の画素値によって構成されている。画素値とは、対応する画素の光透過率を定めるものであり、この画素値によって、各画素から射出する光の強弱（階調）が規定される。さらに、画像処理部８４は、制御部８０の指示に基づいて、変換した画像情報に対して、明るさ、コントラスト、シャープネス、色合い等を調整するための画質調整処理や、投写する画像上に設定メニューやメッセージ等を重畳表示させるためのＯＳＤ（オンスクリーンディスプレー）処理等を行い、処理後の画像情報を液晶パネル駆動部８５に出力する。
【００４６】
液晶パネル駆動部８５は、画像処理部８４から入力される画像情報に従って液晶パネル５１Ｒ，５１Ｇ，５１Ｂを駆動し、液晶パネル５１Ｒ，５１Ｇ，５１Ｂに、画像情報に応じた画像光を形成させる。これにより、画像情報に基づく画像光が投写レンズ６０からスクリーンＳＣに投写される。
【００４７】
電源回路８６には、外部からＡＣ１００Ｖ等の商用電源ＰＷが供給される。電源回路８６は、交流電源である商用電源ＰＷを所定の電圧の直流電源に変換し、光源制御部８７を始めとするプロジェクター１の各部に電力を供給する。なお、制御部８０は、電源回路８６から電力の供給を受けて動作している間、電源回路８６に指示をして、画像光の投写に必要な電力（動作電力）を各部に供給する状態（「オン状態」とも呼ぶ。）と、各部への動作電力の供給を停止させた状態（「スタンバイ状態」或いは「オフ状態」とも呼ぶ。）とを切り替えることができる。
【００４８】
光源制御部８７は、制御部８０の指示に基づいて、第１及び第２の光源装置２１，２２に対する電力の供給を制御し、第１及び第２の光源装置２１，２２の点灯及び消灯を切り替える。また、光源制御部８７には、第１及び第２の光源装置２１，２２の点灯状態（点灯しているか否か）を検知する点灯検知部８７ａが備えられている。点灯検知部８７ａは、光源ランプ２１ａ，２２ａが消費する電流（光源電流）に基づいて点灯状態を検知し、検知結果を制御部８０に出力する。なお、点灯状態を検知するための手段は、これに限定されず、例えば、光センサーによって検知してもよいし、光源ランプ２１ａ，２２ａの温度を検出して点灯状態を検知するようにしてもよい。
【００４９】
制御部８０は、第１及び第２の光源装置２１，２２の点灯を開始させる場合には、光源制御部８７に指示をして点灯を開始させる動作（始動動作）を行わせた後に、点灯検知部８７ａに点灯状態を検知させる。そして、この結果、少なくとも一方の光源装置が点灯しなかった場合には、制御部８０は、光源制御部８７に指示をして、点灯しなかった光源装置に対する始動動作を行わせ、これを点灯するまで繰り返す。そして、始動動作を所定の回数繰り返しても光源装置が点灯しない場合には、光源制御部８７は、それ以上の始動動作を行わない。なお、本明細書では、始動動作を所定の回数繰り返しても点灯しなかった場合のことを「（点灯）失敗」と呼び、所定の回数以内で点灯した場合のことを「（点灯）成功」と呼ぶ。
【００５０】
カバー検出部８８は、ランプカバー４の開閉状態を検出し、検出結果を制御部８０に出力する。カバー検出部８８は、例えば、ランプカバー４を装着した際に押圧されてオンとなり、ランプカバー４を取り外した際に押圧から解放されてオフとなる押圧スイッチを用いて構成することができる。また、光センサーや磁気センサー等を用いてカバー検出部８８を構成するようにしてもよい。
【００５１】
ＬＥＤ駆動部９０は、制御部８０の指示に基づいて第１のＬＥＤ９１及び第２のＬＥＤ９２を駆動し、第１のＬＥＤ９１及び第２のＬＥＤ９２の表示状態を切り替えることができる。
【００５２】
具体的には、ＬＥＤ駆動部９０は、制御部８０の指示に基づいて、第１のＬＥＤ９１及び第２のＬＥＤ９２の表示状態を切り替えて、対応する光源装置が交換すべき状態であることを報知する。図２に示したように、第１のＬＥＤ９１は、第１の光源収容部６の近傍に配置されており、第１の光源収容部６に対応付けられている。そして、第１の光源収容部６に収容されている第１の光源装置２１が交換すべき状態になった際には、制御部８０は、ＬＥＤ駆動部９０に指示をして、第１のＬＥＤ９１を点滅させる。同様に、第２のＬＥＤ９２は、第２の光源収容部７の近傍に配置されており、第２の光源収容部７に対応付けられている。そして、第２の光源収容部７に収容されている第２の光源装置２２が交換すべき状態になった際には、制御部８０は、ＬＥＤ駆動部９０に指示をして、第２のＬＥＤ９２を点滅させる。
【００５３】
次に、本実施形態のプロジェクター１の動作について説明する。
プロジェクター１に商用電源ＰＷが供給されると、電源回路８６は、制御部８０、記憶部８１、入力操作部８２に電力（スタンバイ電力）の供給を行い、制御部８０は、この電力供給を受けて、制御プログラムに従った動作を開始する。商用電源ＰＷが供給された直後には、プロジェクター１は、スタンバイ状態であり、この状態では、制御部８０は、第１及び第２の光源装置２１，２２を消灯させた状態のまま、入力操作部８２の電源キーに対する操作を監視する。
【００５４】
図５は、スタンバイ状態において電源キーが操作された場合のプロジェクター１の動作を説明するためのフローチャートである。スタンバイ状態において電源キーの操作がなされると、制御部８０は、図５に示すフローに従って動作する。
【００５５】
図５に示すように、ステップＳ１０１では、制御部８０は、電源回路８６に指示をして、各部への動作電力の供給を開始させ、プロジェクター１をオン状態に移行させる。
【００５６】
ステップＳ１０２では、制御部８０は、光源制御部８７に指示をして、第１及び第２の光源装置２１，２２を点灯させ、ステップＳ１０３では、制御部８０は、点灯検知部８７ａの検知結果に基づいて、第１及び第２の光源装置２１，２２の点灯が２つとも成功したか否かを判断する。そして、２つの光源装置２１，２２とも、点灯が成功した場合にはステップＳ１０４に移行し、いずれか一方の光源装置において点灯が失敗した場合にはステップＳ１０８に移行する。
【００５７】
第１及び第２の光源装置２１，２２の双方の点灯が成功してステップＳ１０４に移行した場合には、制御部８０は、記憶部８１に記憶されているランプ情報８１ａを更新し、２つの光源装置２１，２２がともに点灯成功であった旨を記憶させる。そして、ステップＳ１０５では、制御部８０は、第１及び第２の光源装置２１，２２の点灯時間を計測するためにタイマー８０ａによる計時を開始する。
【００５８】
続くステップＳ１０６では、制御部８０は、記憶部８１のランプ情報８１ａから、第１及び第２の光源装置２１，２２の累積点灯時間を読み出し、少なくとも一方の光源装置において、累積点灯時間が所定の時間（以降、「交換時間」と呼ぶ。）に達しているか否かを判断する。ここで、交換時間とは、光源ランプ２１ａ，２２ａの寿命に応じて定められた時間であり、交換の目安となる時間である。光源装置を累積して長い間使い続けると、光源ランプの輝度が低下したり、点灯不能になったり、破裂しやすくなったりすることから、交換時間は、実験結果等に基づいて、これらの症状の発生が顕著になる時間よりも短い時間に設定されている。そして、累積点灯時間が交換時間に達している場合にはステップＳ１０７に移行し、交換時間に達していない場合には、そのままフローを終了する。
【００５９】
累積点灯時間が交換時間に達していてステップＳ１０７に移行した場合には、制御部８０は、画像処理部８４に指示をして、図示しないメッセージ（ＯＳＤ画像）を所定時間重畳表示させ、交換時間に達している光源装置を交換すべきである旨を報知し、フローを終了する。この結果、第１及び第２の光源装置２１，２２の光によって画像の投写が行われ、重畳したメッセージが所定時間スクリーンＳＣ等に表示される。
【００６０】
一方、２つの光源装置２１，２２のうちの一方の光源装置の点灯が失敗してステップＳ１０８に移行した場合には、制御部８０は、記憶部８１に記憶されているランプ情報８１ａを更新し、光源装置毎に点灯結果（成功したか失敗したか）を記憶させる。
【００６１】
続くステップＳ１０９では、制御部８０は、画像処理部８４に指示をして、図示しないメッセージ（ＯＳＤ画像）を所定時間重畳表示させ、一方の光源装置が故障している可能性がある旨と、この光源装置を交換すべきである旨とを報知する。この結果、点灯に成功した他方の光源装置の光によって画像の投写が行われ、重畳したメッセージがスクリーンＳＣ等に表示される。
【００６２】
その後、ステップＳ１１０では、制御部８０は、光源制御部８７に指示をして、点灯に成功した他方の光源装置への電力供給を停止させ、この光源装置を消灯させる。そして、ステップＳ１１１では、制御部８０は、電源回路８６に指示をして、各部への動作電力の供給を停止させることによりプロジェクター１をスタンバイ状態に移行させ、フローを終了する。このように、スタンバイ状態で電源キーが操作された際に、一方の光源装置が点灯しなかった場合には、他方の光源装置の光でメッセージを所定時間表示した後、スタンバイ状態に戻る。なお、スタンバイ状態に移行することなく、１つの光源装置のみで継続して利用できるようにしてもよい。
【００６３】
図６は、オン状態において電源キーが操作された場合のプロジェクター１の動作、即ちオン状態からスタンバイ状態に移行する場合のプロジェクター１の動作を説明するためのフローチャートである。オン状態において電源キーの操作がなされると、制御部８０は、図６に示すフローに従って動作する。
【００６４】
図６に示すように、ステップＳ２０１では、制御部８０は、光源制御部８７に指示をして、第１及び第２の光源装置２１，２２を消灯させる。
【００６５】
ステップＳ２０２では、制御部８０は、ステップＳ１０５（図５参照）で開始した点灯時間の計時を停止させ、第１及び第２の光源装置２１，２２の今回の点灯時間を確定させる。そして、ステップＳ２０３では、制御部８０は、第１の光源装置２１及び第２の光源装置２２のそれぞれに関して、ランプ情報８１ａに記憶されている累積点灯時間に今回の点灯時間を加算してランプ情報８１ａを更新する。
【００６６】
その後、ステップＳ２０４では、制御部８０は、電源回路８６に指示をして、各部への動作電力の供給を停止させることによりプロジェクター１をスタンバイ状態に移行させ、フローを終了する。
【００６７】
このように、オン状態からスタンバイ状態に移行する際には、ランプ情報８１ａに記憶されている累積点灯時間に今回の点灯時間が加算される。このため、加算後の累積点灯時間が交換時間に達した場合には、次にプロジェクター１をオン状態にするときに、ステップＳ１０７にて光源装置の交換を促すメッセージが表示されることになる。
【００６８】
ユーザーは、ステップＳ１０７又はステップＳ１０９にて、光源装置の交換を促すメッセージが表示されると、新しい光源装置を用意して、プロジェクター１に収容されている光源装置と交換する必要がある。そして、光源装置を交換する際には、ユーザーは、ランプカバー４を開いて、交換すべき光源装置を取り外す。
【００６９】
図７は、ランプカバー４が開放した際のプロジェクター１の動作を説明するためのフローチャートである。オン状態又はスタンバイ状態において、ユーザーがランプカバー４を開放させ、これをカバー検出部８８が検出すると、制御部８０は、図７に示すフローに従って動作する。
【００７０】
図７に示すように、ステップＳ３０１では、制御部８０は、自らのＲＡＭに備わる図示しないフラグを参照し、プロジェクター１の状態がオン状態であるかスタンバイ状態であるかを判断する。そして、オン状態である場合にはステップＳ３０２に移行し、スタンバイ状態である場合にはステップＳ３０４に移行する。なお、オン状態かスタンバイ状態かを判断するためには、フラグを参照する態様に限られず、点灯検知部８７ａによる検知結果、即ち第１及び第２の光源装置２１，２２の点灯状態に基づいて判断する態様等を採用してもよい。
【００７１】
プロジェクター１がオン状態であってステップＳ３０２に移行した場合には、制御部８０は、光源制御部８７に指示をして、第１及び第２の光源装置２１，２２を消灯させる。そして、ステップＳ３０３では、制御部８０は、電源回路８６に指示をして、各部への動作電力の供給を停止させ、プロジェクター１をスタンバイ状態に移行させる。なお、ランプカバー４が開放された際に光源装置を消灯してスタンバイ状態に移行するのは、ユーザーの安全のためであり、通電（点灯）により高温になっている光源装置にユーザーが触れてしまうことを抑制するためである。
【００７２】
ステップＳ３０４では、制御部８０は、記憶部８１に記憶されているランプ情報８１ａを読み出して、交換すべき光源装置があるか否か、即ち累積点灯時間が交換時間に達した光源装置、或いは点灯に失敗した光源装置があるか否かを判断する。そして、交換すべき光源装置がある場合にはステップＳ３０５に移行し、交換すべき光源装置がない場合には、そのままフローを終了する。
【００７３】
交換すべき光源装置があってステップＳ３０５に移行した場合には、制御部８０は、第１のＬＥＤ９１及び第２のＬＥＤ９２のうち、交換すべき光源装置が収容されている光源収容部に対応するＬＥＤを点滅させて、フローを終了する。
【００７４】
これにより、ユーザーは、２つの光源装置２１，２２のうち、点滅しているＬＥＤの近傍の光源収容部に収容されている光源装置が交換すべき光源装置であることを認識することができる。その後、ユーザーは、商用電源ＰＷの供給を断って、光源装置が高温になっていないことを確認してから、光源装置の交換を行えばよい。
【００７５】
また、ユーザーは、光源装置の交換を行って最初にオン状態にした後に、入力操作部８２を操作して設定メニューを表示させ、交換した光源装置の累積点灯時間を０にリセットする必要がある。なお、収容された光源装置が新品であるか否かを判別可能な判別手段をプロジェクター１に備えるようにして、新品の光源装置が収容された場合に、制御部８０が、自ら累積点灯時間を０にリセットするようにしてもよい。ここで、光源装置が新品か否かを判別する手段としては、例えば、光源装置にヒューズを備えて、ヒューズが導通している場合に光源装置が新品であると判断し、その後でヒューズを溶断する態様を用いることができる。また、光源装置にメモリー等の記憶手段を備えるようにして、この記憶手段にランプ情報８１ａ（累積点灯時間）を記憶するようにすれば、交換の度にリセットを行う必要はなくなる。
【００７６】
以上説明したように、本実施形態のプロジェクター１によれば、以下の効果を得ることができる。
【００７７】
（１）本実施形態のプロジェクター１によれば、制御部８０は、交換すべき光源装置がある場合に、第１のＬＥＤ９１及び第２のＬＥＤ９２のうち、交換すべき光源装置が収容されている光源収容部に対応するＬＥＤを点滅させることにより、交換すべき光源装置を報知するため、交換対象の光源装置が明確になり、誤って交換する必要のない光源装置を交換してしまう事態が抑制される。つまり、光源装置の交換を正確に行うことが可能となる。
【００７８】
（２）本実施形態のプロジェクター１によれば、ランプカバー４が開いた後にＬＥＤを点滅させるため、ランプカバー４が開くまで、即ちユーザーが光源装置を交換しようとするまでは、ＬＥＤを消灯させておくことが可能となり、無駄な電力消費を抑制することが可能となる。
【００７９】
（３）本実施形態のプロジェクター１によれば、第１及び第２の光源装置２１，２２の累積点灯時間に基づいて、光源装置を交換すべきか否かを判断するため、寿命が近づいた光源装置の交換を正確に行うことが可能となる。
【００８０】
（４）本実施形態のプロジェクター１によれば、点灯検知部８７ａの検知結果に基づいて、交換すべき光源装置を検出するため、点灯しなくなった光源装置の交換を正確に行うことが可能となる。
【００８１】
（５）本実施形態のプロジェクター１によれば、交換すべき光源装置を、発光ダイオードによって報知しているため、報知する際の視認性が向上する。
【００８２】
（６）本実施形態のプロジェクター１によれば、発光ダイオードの点滅によって交換すべき光源装置を報知するため、視認性がさらに向上する。
【００８３】
なお、本実施形態において、第１のＬＥＤ９１及び第２のＬＥＤ９２が状態表示部に相当する。また、点灯検知部８７ａの検知結果に基づいて第１及び第２の光源装置２１，２２の点灯の成否を判断する際（ステップＳ１０３）の制御部８０、並びに、累積点灯時間が交換時間に達したか否かを判断する際（ステップＳ１０６）の制御部８０は、交換すべき光源装置を検出する検出部に相当する。また、ステップＳ３０５を実行し、ＬＥＤを点滅させる際の制御部８０及びＬＥＤ駆動部９０は、表示制御部に相当する。
【００８４】
（第２実施形態）
次に、第２実施形態のプロジェクターについて説明する。なお、第１実施形態と同一の構成要素には同一の符号を付し、その詳細な説明は省略する。
【００８５】
図８は、本実施形態のプロジェクター１の概略構成を示すブロック図である。
図８に示すように、本実施形態のプロジェクター１は、第１実施形態におけるＬＥＤ駆動部９０の代わりに、ＬＥＤ制御部９３を備えている。カバー検出部８８は、制御部８０及びＬＥＤ制御部９３の双方に検出結果を出力するようになっており、カバー検出部８８がランプカバー４の開放を検出すると、ＬＥＤ制御部９３は、記憶部８１に記憶されているランプ情報８１ａに基づいて、第１のＬＥＤ９１及び第２のＬＥＤ９２の点灯状態を制御する。
【００８６】
また、プロジェクター１は、電池ＢＴを電源として電力の供給を行う補助電源回路９４を備えており、補助電源回路９４は、ＬＥＤ制御部９３、第１のＬＥＤ９１、第２のＬＥＤ９２、カバー検出部８８、及び記憶部８１に電力の供給を行う。つまり、ＬＥＤ制御部９３、第１のＬＥＤ９１、第２のＬＥＤ９２、カバー検出部８８、及び記憶部８１は、商用電源ＰＷが供給されていない状態でも、電池ＢＴを電源として動作可能になっている。上記以外の構成については、第１実施形態と同一であり、オン状態又はスタンバイ状態で電源キーが操作された際の動作も第１実施形態と同一である（図５及び図６参照）。
【００８７】
図９は、ランプカバー４が開放した際の制御部８０の動作を説明するためのフローチャートである。商用電源ＰＷが供給されている状態、即ちオン状態又はスタンバイ状態において、ユーザーがランプカバー４を開放させ、これをカバー検出部８８が検出すると、制御部８０は、図９に示すフローに従って動作する。
【００８８】
図９に示すように、ステップＳ４０１では、制御部８０は、自らのＲＡＭに備わる図示しないフラグを参照し、プロジェクター１の状態がオン状態であるかスタンバイ状態であるかを判断する。そして、オン状態である場合にはステップＳ４０２に移行し、スタンバイ状態である場合には、そのままフローを終了する。
【００８９】
プロジェクター１がオン状態であってステップＳ４０２に移行した場合には、制御部８０は、光源制御部８７に指示をして、第１及び第２の光源装置２１，２２を消灯させる。そして、ステップＳ４０３では、制御部８０は、電源回路８６に指示をして、各部への動作電力の供給を停止させることにより、プロジェクター１をスタンバイ状態に移行させ、フローを終了する。
【００９０】
図１０は、ランプカバー４が開放した際のＬＥＤ制御部９３の動作を説明するためのフローチャートである。カバー検出部８８がランプカバー４の開放を検出すると、商用電源ＰＷの供給の有無に拘らず、ＬＥＤ制御部９３は、電池ＢＴを電源として図１０に示すフローに従って動作する。
図１０に示すように、ステップＳ４１１では、ＬＥＤ制御部９３は、記憶部８１に記憶されているランプ情報８１ａを読み出して、交換すべき光源装置があるか否か、即ち累積点灯時間が交換時間に達した光源装置、或いは点灯に失敗した光源装置があるか否かを判断する。そして、交換すべき光源装置がある場合にはステップＳ４１２に移行し、交換すべき光源装置がない場合には、そのままフローを終了する。
【００９１】
交換すべき光源装置があってステップＳ４１２に移行した場合には、ＬＥＤ制御部９３は、第１のＬＥＤ９１及び第２のＬＥＤ９２のうち、交換すべき光源装置が収容されている光源収容部に対応するＬＥＤを点滅させて、フローを終了する。
【００９２】
これにより、ユーザーは、２つの光源装置２１，２２のうち、点滅しているＬＥＤの近傍の光源装置が交換すべき光源装置であることを認識することができる。
【００９３】
以上説明したように、本実施形態のプロジェクター１によれば、第１実施形態の効果に加えて、以下の効果を得ることができる。
（１）本実施形態のプロジェクター１によれば、第１及び第２のＬＥＤ９１，９２は、光源装置を点灯させるための電源（商用電源ＰＷ）とは異なる電源（電池ＢＴ）によって点滅するため、第１及び第２のＬＥＤ９１，９２による報知を行う際でも、商用電源ＰＷが接続されている必要はなく、安全性が向上する。
【００９４】
なお、本実施形態では、ＬＥＤ制御部９３が表示制御部に相当する。
【００９５】
（変形例）
なお、上記実施形態は、以下のように変更してもよい。
【００９６】
上記実施形態では、交換すべき光源装置を報知するために、ＬＥＤの表示状態を点滅に切り替えているが、点滅に限らず、点灯の有無や点灯色等によって、交換すべき光源装置を報知するようにしてもよい。
【００９７】
上記実施形態では、交換すべき光源装置を報知するための手段（状態表示部）として、ＬＥＤを採用しているが、これに限られず、液晶ディスプレーや電子ペーパー等、他の表示手段を用いてもよい。また、これらの表示手段によってメッセージ（文言）や記号等を表示して、対応する光源装置が交換すべきであることを報知することもできる。
【００９８】
上記実施形態では、ランプカバー４が開放した際に、交換すべき光源装置の報知（対応するＬＥＤの点滅）を行うようにしているが、ランプカバー４の開放の有無に拘らずに報知するようにしてもよい。例えば、光源装置の点灯に失敗した時点（例えば、ステップＳ１０９の後）、或いは、累積点灯時間が交換時間に達したことを認識した時点（例えば、ステップＳ１０７の後）で報知を開始するようにしてもよい。
【００９９】
ただし、この場合には、光源装置の交換が行われるまで報知（ＬＥＤの点滅）が継続することになり、消費電力が増大してしまう。このため、電気泳動方式の電子ペーパーのように、表示状態の維持にほとんど電力を消費しない表示手段を状態表示部として採用することが望ましい。
また、例えば、図１１に示すように、ステッピングモーター等の駆動手段９５によって回転駆動される回転体９６を状態表示部として用いることも可能である。具体的には、この回転体９６に、光源装置が交換すべき状態であることを記した表示面９６ａを設け、この表示面９６ａがユーザーに視認されるように回転体９６の向きを変えることによって交換すべき光源装置を報知する態様にすることもできる。
【０１００】
上記実施形態では、第１及び第２のＬＥＤ９１，９２を、カバー領域５、即ちランプカバー４の内側の領域に配置しているが、ランプカバー４の外側に配置するようにしてもよい。また、ランプカバー４の一部に透光性を持たせて、ランプカバー４の内側に配置した第１及び第２のＬＥＤ９１，９２の表示状態を、ランプカバー４を装着した状態のまま視認できるようにしてもよい。
【０１０１】
上記実施形態では、２つの光源装置２１，２２が１つのランプカバー４で覆われている態様を示したが、図１２に示すように、各々が独立したランプカバー４ａ，４ｂで覆われる態様としてもよい。なお、この場合には、どのランプカバーを開放すべきなのかが分かるように、ランプカバー４ａ，４ｂを装着した状態のままでＬＥＤ９１，９２の点灯状態を視認できるようにするとともに、ランプカバー４ａ，４ｂの開放の有無に拘らずに、交換すべき光源装置を報知することが望ましい。
【０１０２】
上記実施形態では、光変調装置として３つの液晶パネル５１Ｒ，５１Ｇ，５１Ｂを用いた３板式のプロジェクター１について説明したが、光変調装置の態様は、これに限定されない。例えば、各画素の中にそれぞれＲ光、Ｇ光、Ｂ光を透過可能なサブ画素を含んだ１つの液晶パネルによって画像光を形成する態様とすることも可能である。
【０１０３】
上記実施形態では、光変調装置として、透過型の液晶パネル５１を用いているが、反射型の液晶パネル等、反射型の光変調装置を用いることも可能である。また、入射した光の射出方向を画素としてのマイクロミラー毎に制御することにより、第１及び第２の光源装置２１，２２から射出した光を変調する微小ミラーアレイデバイス等を用いることもできる。
【符号の説明】
【０１０４】
１…プロジェクター、２…筐体、３…開口部、４…ランプカバー、５…カバー領域、６…第１の光源収容部、７…第２の光源収容部、１０…画像投写部、２０…照明光学系、２１…第１の光源装置、２２…第２の光源装置、２１ａ，２２ａ…光源ランプ、２１ｂ，２２ｂ…リフレクター、２１ｃ，２２ｃ…ハウジング部、２３…合成ミラー、２３ａ…第１の反射ミラー、２３ｂ…第２の反射ミラー、２４…平行化レンズ、２５…第１のレンズアレイ、２６…第２のレンズアレイ、２７…偏光変換素子、２８…重畳レンズ、２９…平行化レンズ、３０…色光分離光学系、３１…第１のダイクロイックミラー、３２…第１の反射ミラー、３３…第２のダイクロイックミラー、４０…リレー光学系、４１…入射側レンズ、４２…第２の反射ミラー、４３…リレーレンズ、４４…第３の反射ミラー、５０…画像形成部、５１，５１Ｒ，５１Ｇ，５１Ｂ…液晶パネル、５２…入射側偏光板、５３…射出側偏光板、５４…クロスダイクロイックプリズム、６０…投写レンズ、８０…制御部、８０ａ…タイマー、８１…記憶部、８１ａ…ランプ情報、８２…入力操作部、８３…画像情報入力部、８４…画像処理部、８５…液晶パネル駆動部、８６…電源回路、８７…光源制御部、８７ａ…点灯検知部、８８…カバー検出部、９０…ＬＥＤ駆動部、９１…第１のＬＥＤ、９２…第２のＬＥＤ、ＰＷ…商用電源、ＳＣ…スクリーン。
【図１】
2010276818.tif 000003
【図２】
2010276818.tif 000004
【図３】
2010276818.tif 000005
【図４】
2010276818.tif 000006
【図５】
2010276818.tif 000007
【図６】
2010276818.tif 000008
【図７】
2010276818.tif 000009
【図８】
2010276818.tif 000010
【図９】
2010276818.tif 000011
【図１０】
2010276818.tif 000012
【図１１】
2010276818.tif 000013
【図１２】
2010276818.tif 000014